(57)【要約】      （修正有）【課題】端子の端子台への十分な締め付けを行うことができ、また緩めて取り外すことも容易で、かつ、螺合時に電線にストレスがかかることのない端子台を提供する。【解決手段】円形孔５ａを有する端子板５と、円筒状の中空部６ｂを有する端子基台６と、端子ケーシング２内に、端子板と平行な面において３６０°未満の回転範囲で回動可能であるとともに、その中央部に端子板の円形孔と同径の外周を有しかつ、端子板の円形孔を貫通して外部に突出し、内部に雌ねじ３ｂが形成された螺合突起３ａを有する回動板３と、電線８の接続端子９の貫通孔９ａに雄ねじ部４ａを通したうえで螺合突起と螺合することにより、電線の接続端子を接続固定する締付ねじ４とで構成される端子台１であって、端子ケーシング内に回動板の回動を規制する回動規制部５ｃを設けるとともに、回動板に、回動に伴って異なる２つの回動角度位置の回動規制部に当接する回動当接部３ｃを設けた。【選択図】図２
2010238537.tif 000002
【特許請求の範囲】
【請求項１】
中央に円形孔を有する端子板と、
内部に内径の異なる段部が形成される円筒状の中空部を有する端子基台と、
前記端子板と前記端子基台を結合させて形成される端子ケーシング内に、前記端子板と平行な面において３６０°未満の回転範囲で回動可能であるとともに、その中央部に前記端子板の円形孔と同径の外周を有しかつ、前記端子板の円形孔を貫通して外部に突出し、内部に雌ねじが形成された螺合突起を有する回動板と、
電線の接続端子の貫通孔に雄ねじ部を通したうえで前記螺合突起と螺合することにより、電線の接続端子を接続固定する締付ねじとで構成される端子台であって、
前記端子ケーシング内に前記回動板の回動を規制する回動規制部を設けるとともに、前記回動板に、回動に伴って異なる２つの回動角度位置の前記回動規制部に当接する回動当接部を設けたことを特徴とする端子台。
【請求項２】
前記回動規制部は、前記端子板の裏面に段差部を形成することで構成されるとともに、前記回動当接部は、前記端子板の裏面に対向する面に前記回動規制部と当接する突起部を形成することにより構成されることを特徴とする請求項１記載の端子台。
【請求項３】
前記回動規制部は、前記端子基台の内部の中空部に望む内周面上に突起部を形成することで構成されるとともに、前記回動当接部は、前記回動板に大径部と小径部を形成したうえ、前記回動規制部と当接する前記回動板の大径部により構成されることを特徴とする請求項１記載の端子台。
【発明の詳細な説明】
【技術分野】
【０００１】
この発明は、電線の接続端子を接続固定するための端子台に関するものである。
【背景技術】
【０００２】
従来の接続端子を接続する端子台は、図４に示すように、端子板１０１に雄ねじ１０２を立設した端子部１０３と、挿通穴１０４ａが雄ねじ１０２に挿通された接続端子１０４を締め付けるナット１０７及びワッシャー１０８でなる締付部材１０５を備えて構成されている。
【０００３】
この端子台の端子板１０１に接続端子１０４を接続するには、端子板１０１に立設された雄ねじ１０２に接続端子１０４の挿通穴１０４ａを挿通し、続いてワッシャー１０８を雄ねじ１０２に挿通して接続端子１０４に重ねてから、ナット１０７でもって接続端子１０４を端子板１０１に向かって雄ねじ１０２に螺合することにより締め付ける。
【０００４】
ところで、このような従来の端子台では、接続端子１０４は、締付部材１０５のナット１０７でもって端子板１０１に向かって雄ねじ１０２に螺合することにより締め付けられると、ナット１０７の螺合とともに回転してしまって、螺合のトルクを有効に使うことができず、端子板１０１に十分に締め付けを行うことができない。
【０００５】
特に、高容量の場合には、接続端子１０４の径が大きくなるため、締め付けに大きなトルクが必要となり、その大きなトルクに抗して接続端子１０４の回転を完全に規制することは困難であるため、接続端子１０４が螺合とともに回転してしまい、十分に締め付けられなり接続が不十分となる。また、大きなトルクでもって接続端子１０４が締め付けられることにより、その接続端子１０４に接続された電線１０６は、締め付けられる方向に強制的に回転して捻られ、この捻りによるストレスを有したまま接続されることとなるため、このストレスが解除される方向に電線１０６が回転して締め付けが緩み、接続端子１０４の接続の信頼性が低くなる恐れがある。
【０００６】
そこで、このような課題を解決する端子台がある（例えば、特許文献１参照）。この特許文献１に開示される端子台は、図６（ａ）に示すように、端子板１０１に立設された雄ねじ１０２に接続端子１０４の挿通穴１０４ａを挿通し、その接続端子１０４を締付部材１０５でもって端子板１０１に向かって雄ねじ１０２に螺合することにより締め付けると、接続端子１０４は、その挿通穴１０４ａが端子板１０１に設けられた押し広げ部１０９に食い込んで、その挿通穴１０４ａの内縁部が押し広げられ、締付部材１０５の螺合とともに回転しなくなるように構成されている。
【０００７】
また、図６（ｂ）に示すように、端子板１０１に立設された雄ねじ１０２に接続端子１０４の挿通穴１０４ａを挿通し、その接続端子１０４を締付部材１０５でもって端子板１０１に向かって雄ねじ１０２に螺合することにより締め付けると、接続端子１０４は、その挿通穴１０４ａの内縁部から穴の中央に向かって延設された延設片１０４ｂが端子板１０１に設けられた嵌合部１１０に嵌合することにより、締付部材１０５の螺合とともに回転しなくなるように構成されている。
【先行技術文献】
【特許文献】
【０００８】
【特許文献１】特開平７−１９２７９１号公報
【発明の概要】
【発明が解決しようとする課題】
【０００９】
しかしながら、特許文献１に開示される端子台では、接続端子は締付部材の螺合とともに回転しなくなるため、螺合時あるいは螺合後において、接続端子の向きが電線にストレスがかかっている状態であると、以後電線には継続してストレスがかかり続けるので、作業者は接続端子の向きが電線にストレスが加わっていないことを確認する必要があり、作業者に負担がかかることになるという課題がある。
【００１０】
この発明は、上記のような課題を解決するためになされたもので、接続端子の端子台への十分な締め付けを行うことができ、また緩めて取り外すことも容易で、かつ、螺合時あるいは螺合後に電線にストレスがかかることのなく、作業者に対する負担を軽減することができる端子台を提供することを目的としている。
【課題を解決するための手段】
【００１１】
この発明に係る端子台は、中央に円形孔を有する端子板と、内部に内径の異なる段部が形成される円筒状の中空部を有する端子基台と、端子板と端子基台を結合させて形成される端子ケーシング内に、端子板と平行な面において３６０°未満の回転範囲で回動可能であるとともに、その中央部に端子板の円形孔と同径の外周を有しかつ、端子板の円形孔を貫通して外部に突出し、内部に雌ねじが形成された螺合突起を有する回動板と、電線の接続端子の貫通孔に雄ねじ部を通したうえで螺合突起と螺合することにより、電線の接続端子を接続固定する締付ねじとで構成される端子台であって、端子ケーシング内に回動板の回動を規制する回動規制部を設けるとともに、回動板に、回動に伴って異なる２つの回動角度位置の回動規制部に当接する回動当接部を設けた。
【発明の効果】
【００１２】
この発明によれば、上記のように構成したので、接続端子の端子台への十分な締め付けを行うことができ、また緩めて取り外すことも容易で、かつ、螺合時あるいは螺合後に加わる電線へのストレスを防止することができ、作業者に対する負担を軽減することができる。
【図面の簡単な説明】
【００１３】
【図１】この発明の実施の形態１に係る端子台の構成を示す斜視図である。
【図２】この発明の実施の形態１に係る端子台の構成を示す分解斜視図である。ある。
【図３】この発明の実施の形態２に係る端子台の構成を示す断面図である。
【図４】従来の端子台の構成を示す分解斜視図である。
【図５】従来の端子台の構成を示す分解斜視図である。
【発明を実施するための形態】
【００１４】
以下、この発明の実施の形態について図面を参照しながら詳細に説明する。
実施の形態１．
図１はこの発明の実施の形態１に係る端子台１の構成を示す斜視図である。図２はこの発明の実施の形態１に係る端子台１の構成を示す分解斜視図であり、図２（ａ）は端子台１の構成を示す分解斜視図であり、図２（ｂ）は端子板５裏面を示す分解斜視図である。
図１，２に示すように、端子台１は、端子ケーシング２、回動板３及び締付ねじ４により構成される。
【００１５】
端子ケーシング２は、内部に回動板３を収納するためのケースであり、図２（ａ）に示すように、端子板５及び端子基台６により構成される。
【００１６】
端子板５は、図２（ａ）に示すように、その中央に、回動板３に形成される螺合突起３ａを突出させるための円形孔５ａが形成される板であり、合成樹脂等により形成される。この端子板５の四隅には端子基台６と結合するための締結孔５ｂが形成される。
また、図２（ｂ）に示すように、この端子板５の裏面には、内部に収納される回動板３に形成される回動規制部３ｃの回動に沿った溝が形成され、３６０°未満で所定の２つの回動角度位置に段差部を形成することにより回動板３の回動を規制するための回動規制部５ｃが構成される。
【００１７】
端子基台６は、図２（ａ）に示すように、その中央内部に、回動板３を設置するため、内径の異なる段部６ａが形成される円筒状の中空部６ｂを有する台であり、合成樹脂等により形成される。この端子基台６の四隅には、端子板５に形成される締結孔５ｂの対向する位置に、端子板５と結合するために締結孔６ｃが形成される。
【００１８】
この端子板５に形成される締結孔５ｂと端子基台６に形成される締結孔６ｃをねじ７により締結することにより、端子ケーシング２を構成する。
【００１９】
回動板３は、図２（ａ）に示すように、端子基台６の中空部６ｂに形成される段部６ａ上に配置され、端子板５と端子基台６を結合することにより形成される端子ケーシング２内に収納される円形の板であり、鋼板等により形成される。この回動板３の端子板５に対向する面の中央部には、端子板５の円形孔５ａと同径の外周を有し、かつ端子板５の円形孔５ａを貫通して外部に突出する螺合突起３ａが形成される。この螺合突起３ａの内部には雌ねじ３ｂが形成される。
【００２０】
また、回動板３の端子板５に対向する面には、回動板３の回動に伴って、端子板５の裏面の異なる２つの回動角度位置に形成される回動規制部５ｃに当接するための突起部を形成することにより回動当接部３ｃが構成される。
このように、回動板３は、端子板５に対向する面上に端子板５の裏面の回動規制部５ｃと当接する回動当接部３ｃを形成することにより、端子板５と平行な面において３６０°未満の回転範囲で回動可能に構成される。
【００２１】
締付ねじ４は、図１に示すように、電線８の接続端子９の貫通孔９ａに雄ねじ部４ａを通したうえで、端子ケーシング２より突出した螺合突起３ａに形成される雌ねじ３ｂと螺合することにより、電線８の接続端子９を端子台１に接続固定するものである。
【００２２】
次に、上記のように構成される端子台１に電線８の接続端子９の接続方法について説明する。
この端子台１に電線８の接続端子９を接続固定するには、図２（ａ）に示すように、電線８の接続端子９の貫通孔９ａに締付ねじ４の雄ねじ部４ａを通したうえで、端子板５の円形孔５ａから突出した回動板３の螺合突起３ａに形成される雌ねじ３ｂと螺合することにより締め付けることにより、接続固定することができる。
【００２３】
ここで、締付ねじ４の雄ねじ４ａと螺合することにより接続端子９を接続固定する雌ねじ３ｂを、端子板５と平行な面において３６０°未満の回転範囲で回動可能な回動板３上に形成したことにより、接続端子９の端子台１への接続の際、締付締付ねじ４による締結により、回動板３が回動し、回動当接部３ｃが端子板５の回動規制部５ｃに当接すると、それ以上回動板３は回動することはないため、接続端子９の端子台１への十分な締め付けを行うことができ、また、電線８の接続端子９が最終的に電線８にストレスがかかる状態で締め付けられたとしても、回動板３が電線８にストレスがかからない位置まで自動的に回動するので、作業者は、締付作業時に電線８に継続的にストレスがかかっていないことを確認する必要はなくなる。
【００２４】
以上のように、この発明の実施の形態１によれば、締付ねじ４により接続端子９を締め付ける雌ねじ３ｂを、端子板５と平行な面において３６０°未満の回転範囲で回動可能な回動板３に形成するように構成し、端子板５の裏面に回動規制部５ｃを構成するとともに、回動板３の端子板５に対向する面に回動当接部３ｃを構成したので、作業者は単に電線８の接続端子９の貫通孔９ａに締付ねじ４を通したうえで回動板３に形成される螺合突起３ａと螺合すればよく、作業中に回動板３が回動しても、回動板３の回動当接部３ｃが端子板５の回動規制部５ｃに当接すると、それ以上回動することはないため、締付作業での支障はなく、接続端子９の端子台１への十分な締め付けを行うことができる。
また、電線８の接続端子９が最終的に電線８にストレスがかかる状態で締め付けられたとしても、締付作業を終了すると回動板３が電線８にストレスがかからない位置まで自動的に回動するので、作業者は、締付作業時に電線８に継続的にストレスがかかることがないことを確認する必要はなくなり、作業者に対する負担を軽減することができる。また、取り外しのため緩める作業においても回動板３の回動当接部３ｃが締め付け時と反対側の端子板５の回動規制部５ｃに当接し、空転することなく緩めることができる。
【００２５】
実施の形態２．
図３はこの発明の実施の形態２に係る端子台１の構成を示す図である。図３（ａ）は端子台１の断面図であり、図３（ｂ）は端子板５を取り除いたときの上面図である。
この発明の実施の形態１に係る端子台１では、端子板５の裏面に回動規制部５ｃを形成して構成したが、この発明の実施の形態２に係る端子台１では、端子板５ではなく端子基台６に回動規制部６ｄを形成して構成したものである。
【００２６】
端子基台６には、図３に示すように、端子基台６に形成される中空部６ｂの内周面上の位置に突起部が形成されることにより、回動板３の回動を規制するための回動規制部６ｄが構成される。
【００２７】
また、回動板３には、図３に示すように、回動板３の端子基台６に対向する面の反対側の面上に、回動により端子基台６に形成される突起部と当接する大径部と端子基台６に形成される回動規制部６ｄとは当接しない小径部が形成され、この端子基台６に形成される回動規制部６ｄと当接する大径部により回動当接部３ｃが構成される。
【００２８】
以上のように、この発明の実施の形態２によれば、端子基台６の内部の中空部に望む内周面上に回動規制部６ｄを構成するとともに、回動板３の端子基台６に対向する面とは反対の面に回動規制部６ｄと当接する回動当接部３ｃを構成することによっても、この発明の実施の形態１に係る端子板１と同様に効果を得ることができる。
【符号の説明】
【００２９】
１  端子台
２  端子ケーシング
３  回動板
３ａ  螺合突起
３ｂ  雌ねじ
３ｃ  回動当接部
４  締付ねじ
４ａ  雄ねじ部
５  端子板
５ａ  円形孔
５ｂ  締結孔
５ｃ  回動規制部
６  端子基台
６ａ  段部
６ｂ  中空部
６ｃ  締結孔
６ｄ  回動規制部
７  ねじ
８  電線
９  接続端子
９ａ  貫通孔
【図１】
2010238537.tif 000003
【図２】
2010238537.tif 000004
【図３】
2010238537.tif 000005
【図４】
2010238537.tif 000006
【図５】
2010238537.tif 000007